(57)【要約】【課題】ユニット部を左右揺動可能に支持する場合にその支持構造を単純にし、部品点数を減らし、組立作業性を良くし、ヘッド部の皮膚への密着性を向上させ、剃り味を向上させる。【解決手段】外刃７６および内刃５４と、モーター２４と、駆動機構４４とを一体化したユニット部２０を左右へ揺動可能とした往復式電気かみそりにおいて、モーター２４を前後から挟む前後一対のピボット部８０でユニット部２０をグリップ部１０に支持すると共に、外刃７６および内刃５４と駆動機構４４を含むヘッド部２２をモータ２４に対して前後揺動可能に支持した。【選択図】図２
2010252941.tif 000002
【特許請求の範囲】
【請求項１】
略半円筒状の水平な外刃および外刃の内面に下方から摺接する内刃と、モーターと、このモーターによって内刃を往復駆動する駆動機構とを一体化したユニット部を備え、前記ユニット部を左右へ揺動可能とした往復式電気かみそりにおいて、
前記モーターを前後から挟む前後一対のピボット部で前記ユニット部をグリップ部に支持すると共に、前記外刃および内刃と前記駆動機構を含むヘッド部をモータに対して前後揺動可能に支持したことを特徴とする往復式電気かみそり。
【請求項２】
グリップ部は、前後割りの前ケースおよび後ケースと、後ケースの内側にあって前ケースに保持可能なモーターホルダーとを備え、モーターを支持するピボット部はモーターと前ケースとの間およびモーターとモーターホルダーとの間に配設されている請求項１の往復式電気かみそり。
【請求項３】
モーターホルダーにはピボット部の下方に水平な長窓が形成され、モーターの後面にはこの長窓内に進入して左右に移動可能な突出片が突設され、前記長窓内には前記突出片を左右両側から挟んでユニット部を左右方向の復帰位置へ復帰させるコイルばねが装填されている請求項２の往復式電気かみそり。
【請求項４】
ヘッド部はモーターに対して前後揺動可能な揺動ケースを備え、前記揺動ケースに駆動機構を収容すると共に、この揺動ケースに外刃を上下動可能に保持する外刃ケースおよび内刃を上向きに付勢しつつ保持する内刃ホルダーを保持した請求項１の往復式電気かみそり。
【請求項５】
モーターはモーターケースに装填され、揺動ケースは前記モーターケースから起立する左右一対の支持腕に前後揺動可能に保持され、前記支持腕には線ばねの上部が固定され、前記線ばねの下部が前記揺動ケースに係合して揺動ケースを復帰位置に復帰させる請求項４の往復式電気かみそり。
【請求項６】
各支持腕には揺動ケースに立設した左右一対のタワー部を前後揺動可能に保持すると共に、各支持腕は前記タワー部に弾接する向きに付勢され、線ばねは山形に折曲されて両端部を支持腕に設けた前後２つの小孔に通してから下方へ折曲され揺動ケースに係合している請求項５の往復式電気かみそり。
【請求項７】
モーターはモーターケースに液密に装填され、モーターの電源部はグリップ部の前ケースとこの前ケースに固定されるインナーカバーとの間に液密に装填されている請求項１の往復式電気かみそり。
【発明の詳細な説明】
【技術分野】
【０００１】
この発明は、外刃および内刃と、モーターと、駆動機構とを一体化したユニット部をグリップ部に左右揺動可能に保持した往復式電気かみそりに関するものである。
【背景技術】
【０００２】
電池などの電源部を収容するグリップ部に、外刃と内刃とモーターと駆動機構とを一体化したユニット部を沈み込み可能に支持した往復式電気かみそりが公知である。
【先行技術文献】
【特許文献】
【０００３】
【特許文献１】特許第３９４５３７６号公報
【０００４】
【特許文献２】特開平１０−４３４４３号公報
【０００５】
特許文献１および２には、上向きに付勢した左右２本ずつの支持脚でユニット部を上下動可能かつ左右方向に傾動可能に支持するものが示されている。例えば外刃の右端が下向きに押込まれるとユニット部の全体が右側に傾き、右側へ揺動する。同様に外刃の左端が下向きに押込まれればユニット部の全体が左側へ傾くものである。
【０００６】
また特許文献２には、２つの外刃を保持する外刃ホルダーの上部を水平な左右一対のピンで前後揺動可能に支持する一方、２つの内刃をそれぞれ独立に上向きに付勢したものが示されている。この場合には、外刃ホルダーの前後揺動に伴って２つの外刃が上下動するものである。また内刃を往復させる内刃の駆動機構は、モーター側に保持されていて外刃ホルダーと共に揺動するものではない。
【発明の概要】
【発明が解決しようとする課題】
【０００７】
前記従来のものはいずれも４本の支持脚を上向きにコイルばねで付勢し、ユニット部をこの支持脚の上端に当接させたものである。このため支持脚やコイルばねなどを含むユニット部の支持構造が複雑で部品点数が増え、組立ての作業性が悪いという問題があった。
【０００８】
また往復式電気かみそりでは、ヘッド部が左右に揺動するだけでなく前後にも揺動するようにして、外刃と皮膚（髭剃り面）との密着性を良くするのが望ましい。前記特許文献２には外刃ホルダーが前後に揺動するものが示されてはいるが、内刃や内刃の駆動機構は前後に揺動しないために外刃の前後揺動が円滑でないという問題がある。
【０００９】
この発明はこのような事情に鑑みなされたものであり、ユニット部を左右揺動可能に支持する場合にその支持構造が単純になり、部品点数が減り、組立作業性が良く、さらにヘッド部の前後揺動が円滑になって皮膚との密着性が向上し、剃り味を向上させることができる往復式電気かみそりを提供することを目的とする。
【課題を解決するための手段】
【００１０】
この発明によればこの目的は、略半円筒状の水平な外刃および外刃の内面に下方から摺接する内刃と、モーターと、このモーターによって内刃を往復駆動する駆動機構とを一体化したユニット部を備え、前記ユニット部を左右へ揺動可能とした往復式電気かみそりにおいて、前記モーターを前後から挟む前後一対のピボット部で前記ユニット部をグリップ部に支持すると共に、前記外刃および内刃と前記駆動機構を含むヘッド部をモータに対して前後揺動可能に支持したことを特徴とする往復式電気かみそり、により達成される。
【発明の効果】
【００１１】
ユニット部のモータを前後から挟む前後一対のピボット部で支持するから、ユニット部の支持構造が非常に簡単であり、部品点数が非常に少なく、組立て作業性が良い。また外刃と内刃と駆動機構を含むヘッド部をユニット部のモータに対して前後揺動可能に支持したから、ヘッド部の前後揺動が円滑であり、皮膚への密着性が向上し剃り味が向上する。
【図面の簡単な説明】
【００１２】
【図１】本発明の一実施例を示す外観斜視図
【図２】グリップ部を分解した斜視図
【図３】グリップ部の後ケースを外して内部構造を示す斜視図
【図４】中央縦断側面図
【図５】ユニット部の中央縦断正面図
【図６】図５におけるVI-VI線断面図
【図７】駆動機構の分解斜視図
【図８】ヘッド部の分解斜視図
【発明を実施するための形態】
【００１３】
ユニット部を支持するピボット部はグリップ部の内面に設けてもよいが、グリップ部の組付けと同時にピボット部の組立てを行うのは作業性が悪い。そこでグリップ部を前後割りとしてその内側にグリップ部のケースとは別にモーターホルダーを前ケースに保持可能（あるいは仮止め可能）とし、このモーターホルダーと前ケースとでモーターを前後から挟んでピボット支持する構造が望ましい（請求項２）。このようにすれば、後ケースを開いた状態でユニット部を前ケースとモーターホルダーとに挟んで予備組立てし、その後で後ケースを固定すればよい。
【００１４】
ユニット部には直立位置（復帰位置）に復帰させるばねを設けるのがよい。このばねは、モーターホルダーにピボット部より下方に水平方向に長い長窓を形成し、この長窓内に進入する突出片をモーター（モーターと一体の部分、例えばモーターケース）に突設し、この突出片を左右から挟むコイルばねを長窓内に装填すればよい（請求項３）。すなわちモーターホルダーでモーターのピボット部を前後から挟んだ状態でモーターホルダーを前ケースに仮止めし、モーターホルダーの長窓にコイルばねを装填し、その後で後ケースを被せて前・後ケースを固定すればよいので組立性がよい。この時モーターホルダーも後ケースと共締めすればよい。
【００１５】
モータに対して前後揺動可能に支持するヘッド部は、モーターに対して前後揺動可能な揺動ケースを設け、この揺動ケースに駆動機構を収容し、かつここに外刃を上下動可能に保持する外刃ケースおよび内刃を上向きに付勢しつつ保持する内刃ホルダーとを設けるのがよい（請求項４）。このように駆動機構を含めてヘッド部全体を揺動ケースに収容して前後揺動可能とするから、前後揺動が円滑である。
【００１６】
この揺動ケースは、モーターを装填するモーターケースから起立させた左右一対の支持腕に前後揺動可能に保持する。そしてこの支持部に線ばねの上部を固定し、線ばねの下部を揺動ケースに係合させて揺動ケースを（すなわちヘッド部を）復帰位置に復帰させればよい（請求項５）。ここに支持腕は、モーターケースと一体の部材、例えばヘッド底板から起立するものであってもよい。
【００１７】
線ばねは、例えば略山形に折曲してその中央（山頂）の折曲部を支持部に回動規制した状態で固定し、両端部を下方に延ばしてそれぞれ独立して揺動ケースに係合させてそれぞれ揺動ケースを前後方向に押すように復帰習性を付与する。この場合、線ばねの中央部は、支持部に設けた前後一対の小孔に両端部を通してから下方に折曲することにより、支持部に固定できる。また左右一対の支持部は互いに左右方向外側（反対向面側）に付勢された板ばねで形成し、揺動ケースの支持部を弾性的に挟むようにするのがよい（請求項６）。
【００１８】
従来より揺動ケースを前後方向に復帰させるばねとしてトーションコイルばねを用い、このコイルばねの中央のコイル部分を支持腕に設けたばね受けボスに巻き掛けたものが公知である（例えば特開平６-３３５５７５）。しかしコイルばねはばね材の巻き数によってコイル部分の厚さが増えることになる。このため支持腕と揺動ケース側の支持部（タワー部）との間隙が広くなり、ヘッド部の大型化を招く。またコイルばねの両端は揺動ケースを貫通して本体側（グリップ側あるいはモーター、モーターケース、ヘッド底板側）に設けた長孔に係止する必要があるため、コイルばねが大型になり構造が複雑になる。
【００１９】
これに対して本願の請求項６の発明によればトーションコイルばねに代えて略山形の線ばねを用いるので、線ばねの収容間隙を狭くでき、ヘッド部の小型化が可能である。また線ばねの両端は本体側（グリップ部）に係止する必要がないので、線ばねの小型化と構造の簡素化が可能である。なおこの線ばねを用いた請求項５，６の構成は、ユニット部をグリップ部に固定してヘッド部を前後のみに揺動可能にしたものにも適用でき、前記した効果が得られるものである。
【００２０】
本発明ではユニット部をグリップ部に対して左右揺動可能にピボット支持したから、電気かみそり全体を防水構造にするためには、ユニット部のモーターと、グリップ部の電源部とを別々に液密にシールする必要が生じる。モーターと電源部を別々にシールした構造は前記特許文献１（特許第３９４５３７６号）に開示されているが、これは予めシールしたリニヤモーターをグリップ部から突出したヘッド部に収容し、グリップ部を前後割りのケースとして前ケースと後ケースの間にシールを挟んで接合し、内部に電源部を収容するものである。これに対して本願発明ではユニット部のモーターをグリップ部にピボット支持するため、前・後ケースでシールしたのではシール材の取付けとピボット部の組立てとを同時に行う必要が生じ作業性が悪く、防水の信頼性が悪くなる。
【００２１】
そこで本発明ではモーターをモーターケースに液密に装填する一方、電源部はグリップ部の前ケースとこの前ケースに固定されるインナーカバーとの間に液密に装填する構造とした（請求項７）。このため前ケースと後ケースとの接合部をシールする必要が無くなり、ピボット部の組立性が向上し、防水の信頼性が向上する。
【実施例１】
【００２２】
図１〜３において符号１０はグリップ部であり、それぞれ略シェル状の前ケース１２と後ケース１４を周縁で重ね合わせて接合したものである。すなわち前・後ケース１２、１４は、左右側縁に沿って３本ずつのビス（図示せず）で結合される。前・後ケース１２、１４の左右側面には、接合面やビスなどを目隠しするためのカバー１６（図１に右側だけ表れている。）が嵌め込まれている。すなわちカバー１６の内面には適宜数の係合爪（図示せず）が一体成形され、これらの係合孔を前・後ケース１２、１４に係合させる。
【００２３】
２０はユニット部であり、ヘッド部２２とモーター２４とを一体化したものである。ヘッド部２２は後記する外刃７６、内刃５４、駆動機構４４を含む。モーター２４は縦に長い略円柱状でありその上面に回転軸２６が突出している（図４〜６）。モーター２４は、上端が開き下端が閉じた筒状のモーターケース２８に装填されている。モーターケース２８の上端開口にはヘッド底板３０がシール材を挟んで固定されている。回転軸２６はこのヘッド底板３０から上方に突出し、両者の間にシール材が装着されている。この結果モータ２４はモーターケース２８とヘッド底板３０とに液密に装填される。モーターケース２８の底面からはモーターリード線３２が延びている。なお以下モーター２４は、モーターケース２８、ヘッド底板３０と一体であるから、これらを含めて単にモーター２４とも言う。
【００２４】
ヘッド底板３０は左右に長い略杯状であって、その内部には左右一対の支持腕３４、３４が立設されている。これらの支持腕３４、３４は図７に示すように左右方向に弾力性を持った板ばねであり、これらは後記する揺動ケース３６側のタワー部６２に密着するように左右方向外側に向かって付勢されている。
【００２５】
揺動ケース３６は中央が上下方向に開いた揺動ケース底板４０と揺動ケース上板４２を重ねて一体化したものであり、これらの間に駆動機構４４を保持する。駆動機構４４は左右両端が揺動ケース下板４０と上板４２の間に保持された２つのオシレータ４６、４８を持つ。オシレータ４６、４８は、モーター２４の回転軸２６に固定したクランク状のカム軸２６Ａに係合して、互いに逆位相で左右に振動する。オシレータ４６、４８の上面にはコイルばねによって上向きに付勢された内刃ホルダー５０、５２が上下動可能に取付けられている。これら内刃ホルダー５０、５２にそれぞれ２つずつの内刃５４が保持されている。４つの内刃５４のうち３つ（５４）は通常の半円筒状のものであり、他の１つ（５４Ａ、図６）はくせ髭用トリマーであって後記する外刃７６に組込まれている。
【００２６】
揺動ケース上板４２の上面にはシール材５６を挟んでシール押え板５８が取付けられる。シール材５６は揺動ケース３６の開口とオシレータ４６、４８との間を液密にシールする。
【００２７】
揺動ケース３６には前記ヘッド底板３０に固定した支持腕３４が通る前後に長い長孔６０（６０Ａ、６０Ｂ）が左右一対形成されている。これら長孔６０、６０の左右方向外側の縁に沿ってタワー部６２、６２が起立している。前記支持腕３４を長孔６０に下方から進入させて揺動ケース３６をヘッド底板３０に装着する。この時、図７に示すピン６４、６４を支持腕３４のピン孔３４Ａとタワー部６２のピン孔６２Ａに内側から挿入し、その先端のピン孔６２Ａの外側に座金６６およびＥリング６８を取付け、ピン６４の抜け止めとする。この結果揺動ケース３６はピン６４を中心にして前後に挿動する。すなわちピン６４はヘッド部２２の前後揺動の支点となる。
【００２８】
支持腕３４にはピン孔３４Ａの下方に線ばね７０の上部が固定され、線ばね７０の両端が下方に伸びている。すなわち線ばね７０は略山形に折曲され、両端を支持腕３４に前後一対設けた小孔に内側から挿入し両端を下方へ折曲したものである。なお実際には線ばね７０はばね鋼であるため、予め所定型状に形成しておいて小孔に装着する。この線ばね７０の下端は揺動ケース３６側、すなわちタワー部６２の内面に形成した段部６２Ｂ（図７）に係止する。このため揺動ケース３６の前後揺動に伴い、線ばね７０の一方の下端が段部６２Ｂにより圧縮され、揺動ケース３６に中央位置への復帰力を発生する。
【００２９】
図８において、７２は外刃ケース、７４は外刃カバーである。外刃ケース７２には４つの外刃７６が上下動可能に保持される。ここに外刃７６のうち３つ（７６）は通常の半円筒状のものであり、他の１つ（７６Ａ）はくせ髭用トリマ刃である。なお外刃７６Ａおよびその隣りの外刃７６、７６は外刃ケース７２に装着したコイルばねによって上向きに付勢されている。
【００３０】
外刃ケース７２は予め内刃５４を取付けた揺動ケース３６に外刃カバー７４と共に装着される。外刃カバー７４は揺動ケース３６の左右両面に取付けたロックボタン７８、７８によりロックされ、このボタン７８を押込むことによりロックを解除して外刃カバー７４を取外すことができる。
【００３１】
次にユニット部２０をグリップ部１０にピボット支持する構造を説明する。ユニット部２０のモーター２４（モーターケース２８）上部には、前後面に突出する突部８０、８０が形成され、これら突部８０、８０がユニット部２０を左右揺動可能に支持するピボット部となっている。突部８０、８０には防振ゴム８２、８２（図４）が被されている。グリップ部１０の前ケース１２の内面には、モータ２４（２８）の前面の突部８０および防振ゴム８２が係入する凹部が形成されている。
【００３２】
８４はモーターホルダーである。モーターホルダー８４はモーター２４（モーターケース２８）の後面に装着され、その上部は突部８０を覆っている。モーターホルダー８４にはモーター２４（２８）の後面の突部８０および防振ゴム８２が係入する凹部が形成されている。このモーターホルダー８４は図２に示すように、モーター２４の上部を跨いで、グリップ部１０の前ケース１２に仮保持される。すなわち後ケース１４を前ケース１２に固定するためのビスを螺入するボス部８６、８６が前ケース１２側に形成され、これらのボス部８６、８６に係合する半円筒状凹部８８をこのモーターホルダー８４に形成した。
【００３３】
従ってモーター２４（２８）の突部８０、８０を前ケース１２の凹部およびこのモーターホルダー８４の凹部に位置合わせしつつ、モーターホルダー８４の半円筒状凹部８８を前ケース１２のボス部８６に係合させてモーターホルダー８４を仮止めする。
【００３４】
またモーターケース２８の後面には、ピボット部となる突部８０の下方に位置する突出片９０が形成されている。一方モーターホルダー８４にはこの突出片９０が進入する長窓９２がほぼ水平に形成されている。そしてモーターホルダー８４を装着した状態で、突出片９０を左右両側から挟んで長窓９２内にコイルばね９４、９４を縮装する。このコイルばね９４、９４は、ユニット部２０を左右へ揺動可能としつつ直立位置（中央位置）への復帰力を付与する。
【００３５】
図２、３において９６はインナーカバーであり、前ケース１２の下部に取付けられる。このインナーカバー９６と前ケース１２の間に、電池９８（図４）、配線基板１００、警告表示灯１０２等を含む電源部１０４を液密に収納する。なお図１、４に明らかなように、前ケース１２の前面には装飾板１０６が取付けられ、この装飾板１０６には電源スイッチ１０８が取付けられている。またこの装飾板１０６の下部で警告表示灯１０２を被う部分には透光性のコーティング処理が施され、警告表示灯１０２の充電警告表示が外部から目視可能となっている。
【００３６】
電源部１０４を防水するインナーカバー９６を取付けた後、モーター２４のモーターリード線３２を十分な長さの余裕をもって電源部１０４に接続する。そして後ケース１４を前ケース１２に重ねて６本のビスで固定する。この際モーターホルダー８４が後ケース１４の固定用ビスにより共締めされて固定される。
【００３７】
この後ケース１４にはキワ剃り刃１１０が起倒可能に取付けられている。このキワ剃り刃１１０は、上下動する操作子１１２を上方へスライドさせることによって図４で上部を支点にして外側に開く。この時キワ剃り刃１１０の可動刃１１０Ａ（図４）が駆動レバー１１４（図４、６）に係合する。すなわち駆動レバー１１４はモーター２４の回転軸２６後方でヘッド底板３０に垂直な支持ピン１１６で保持され、その前端（回転軸２６側の一端）はクランク状カム軸２６Ａのカムに係合し、その後端はヘッド底板３０の後縁に設けた切欠き１１８に臨んでいる。駆動レバー１１４の後端には上方および後方に開いた凹部１１４Ａが形成され、前記キワ剃り刃１１０を開いた時にその可動刃１１０Ａの上端（図４）に設けた球状の係合部１１０Ｂがこの凹部１１４Ａに係入する。
【００３８】
このためモーター２４の起動により駆動レバー１１４が支持ピン１１６を支点にして振動しキワ剃り刃１１０の可動刃１１０Ａが往復振動する。またキワ剃り刃１１０を収納すれば、可動刃１１０Ａの係合部１１０Ｂが駆動レバー１１４の凹部１１４Ａから脱出し、可動刃１１０Ａは静止する。
【００３９】
このようにユニット部２０のモータ２４を、後ケース１４を開いた状態のグリップ部１０に上方から入れ、前ケース１２とモーターホルダー８４でピボット支持した状態で後ケース１４を前ケース１２に固定する。さらにグリップ部１０の左右側面にカバー１６（図１）を嵌め込んでおく。
【００４０】
このように組み立てたこの電気かみそりは外刃７６を皮膚へ押し当てて左右に移動すれば、ユニット部２０はピボット部となる突部８０を中心にして左右に揺動する。また電気かみそりを上下・前後に移動すれば、ヘッド部２２が上下・前後に揺動する。このため外刃７６を皮膚に密着させつつ移動でき、滑らかな剃り味が得られる。ここに左右方向の揺動と前後・上下方向の揺動に対する復帰力は別々のばね、すなわちコイルばね９４、９４と、線ばね７０により別々に設定できるから、復帰力の設定自由度が増える。
【符号の説明】
【００４１】
１０  グリップ部
１２  前ケース
１４  後ケース
２０  ユニット部
２２  ヘッド部
２４  モーター
２６  回転軸
２６Ａ  カム軸
２８  モーターケース
３０  ヘッド底板
３４  支持腕
３６  揺動ケース
４４  駆動機構
４６、４８  オシレーター
５０、５２  内刃ホルダー
５４  内刃
６２  タワー部
６４  ピン（ヘッド部の前後揺動支点）
７０  線ばね
７６  外刃
８０  突部（ピボット部）
８２  防振ゴム
８４  モーターホルダー
９０  突出片
９２  長窓
９４  コイルばね
９６  インナーカバー
９８  電池
１０４  電源部
【図１】
2010252941.tif 000003
【図２】
2010252941.tif 000004
【図３】
2010252941.tif 000005
【図４】
2010252941.tif 000006
【図５】
2010252941.tif 000007
【図６】
2010252941.tif 000008
【図７】
2010252941.tif 000009
【図８】
2010252941.tif 000010